(57)【要約】【課題】飲酒運転に関する情報を証拠として記録しつつ、記録する情報量を抑制する。【解決手段】情報取得部１１は、運転者及び車両内外に関する情報を取得する。飲酒レベル判定部１２は、情報取得部１１により取得された少なくとも運転者の呼気アルコール濃度を示す情報を用いて、運転者の飲酒レベルを判定する。記録制御部１３は、飲酒レベル判定部１２により判定された運転者の飲酒レベルに応じて、情報取得部１１により取得された情報の中から記録すべき情報を選択して記録部１４に記録する。【選択図】図１
2020004334.tif 000002
【特許請求の範囲】
【請求項１】
運転者及び車両内外に関する情報を取得する情報取得部と、
前記情報取得部により取得された少なくとも前記運転者の呼気アルコール濃度を示す情報を用いて、前記運転者の飲酒レベルを判定する飲酒レベル判定部と、
前記飲酒レベル判定部により判定された前記運転者の飲酒レベルに応じて、前記情報取得部により取得された情報の中から記録すべき情報を選択して記録部に記録する記録制御部とを備える運転監視装置。
【請求項２】
前記飲酒レベル判定部は、前記運転者の飲酒レベルを、ゼロレベル、低レベル、中レベル、又は高レベルのうちのいずれかのレベルとして判定し、
前記記録制御部は、前記運転者の飲酒レベルがゼロレベルである場合は情報を前記記録部に記録せず、低レベル、中レベル、及び高レベルである場合は情報を前記記録部に記録すると共に低レベル、中レベル、及び高レベルの順に記録する情報の種類を増やすことを特徴とする請求項１記載の運転監視装置。
【請求項３】
前記記録制御部は、前記記録部に記録済みの中レベル及び高レベルの情報に対して別の情報を上書きしないことを特徴とする請求項２記載の運転監視装置。
【請求項４】
前記記録制御部は、前記記録部に記録済みの低レベル、中レベル、及び高レベルの情報を、記録時点から予め定められた時間が経過した後に消去することを特徴とする請求項２記載の運転監視装置。
【請求項５】
前記記録制御部は、ロック解除情報が入力された場合にのみ、前記記録部に記録済みの情報の読み出し又は消去を行うことを特徴とする請求項１記載の運転監視装置。
【請求項６】
運転者及び車両内外に関する情報を取得する情報取得手順と、
前記情報取得手順により取得された少なくとも前記運転者の呼気アルコール濃度を示す情報を用いて、前記運転者の飲酒レベルを判定する飲酒レベル判定手順と、
前記飲酒レベル判定手順により判定された前記運転者の飲酒レベルに応じて、前記情報取得手順により取得された情報の中から記録すべき情報を選択して記録部に記録する記録制御手順とを、コンピュータに実行させる運転監視プログラム。
【発明の詳細な説明】
【技術分野】
【０００１】
この発明は、飲酒運転を監視する運転監視装置及び運転監視プログラムに関するものである。
【背景技術】
【０００２】
特許文献１に係る車載危険運転監視装置は、運転者の呼気アルコール濃度又は生体情報を用いて数値化した酒気帯び判定値等と、予め設定された危険度判定基準とを用いて、運転の危険度を判定する。そして、上記車載危険運転監視装置は、危険度が閾値を超えた時点から、危険運転に関する情報の車載記録装置への記録を開始する。
【先行技術文献】
【特許文献】
【０００３】
【特許文献１】特開２００８−２９６６８２号公報
【発明の概要】
【発明が解決しようとする課題】
【０００４】
従来の運転監視装置は、運転者の飲酒レベルに応じて記録内容を変更するものにはなっておらず、飲酒レベルが低くても重要度の低い情報まで記録してしまうため、情報量が膨大になり、記録装置の容量を圧迫するという課題があった。
【０００５】
この発明は、上記のような課題を解決するためになされたもので、飲酒運転に関する情報を証拠として記録しつつ、記録する情報量を抑制することを目的とする。
【課題を解決するための手段】
【０００６】
この発明に係る運転監視装置は、運転者及び車両内外に関する情報を取得する情報取得部と、情報取得部により取得された少なくとも運転者の呼気アルコール濃度を示す情報を用いて、運転者の飲酒レベルを判定する飲酒レベル判定部と、飲酒レベル判定部により判定された運転者の飲酒レベルに応じて、情報取得部により取得された情報の中から記録すべき情報を選択して記録部に記録する記録制御部とを備えるものである。
【発明の効果】
【０００７】
この発明によれば、運転者の飲酒レベルに応じて、情報取得部により取得された情報の中から記録すべき情報を取捨選択するようにしたので、飲酒運転に関する情報を証拠として記録しつつ、記録する情報量を抑制することができる。
【図面の簡単な説明】
【０００８】
【図１】実施の形態１に係る運転監視装置の構成例を示すブロック図である。
【図２】実施の形態１に係る運転監視装置における飲酒レベル、判定例、記録すべき情報の種類、及び判定間隔の例を示すテーブルである。
【図３】実施の形態１に係る運転監視装置の動作例を示すフローチャートである。
【図４】実施の形態１に係る運転監視装置のハードウェア構成例を示す図である。
【図５】実施の形態１に係る運転監視装置の変更例を示すブロック図である。
【発明を実施するための形態】
【０００９】
実施の形態１．
図１は、実施の形態１に係る運転監視装置１０の構成例を示すブロック図である。図１に示される情報検出装置１、入力装置２、出力装置３、及び運転監視装置１０は、車両に搭載される。
【００１０】
情報検出装置１は、運転者及び車両内外に関する情報を検出し、運転監視装置１０へ出力する。この情報検出装置１は、少なくとも、アルコールセンサを含む。アルコールセンサは、車両を運転する運転者の呼気を収集し、呼気アルコール濃度を検出する。
【００１１】
情報検出装置１は、運転者に関する情報を検出するセンサ類を含んでいてもよい。このセンサ類は、内部カメラ、生体センサ、又は指紋センサ等である。内部カメラは、運転者を特定するための画像、又は瞳孔を検出するための画像を撮像する。運転者の特定は、指紋センサにより行われてもよい。生体センサは、運転者の血圧又は脈拍等の生体情報を検出する。
【００１２】
情報検出装置１は、車両内外に関する情報を検出するセンサ類を含んでいてもよい。車両内に関する情報を検出するセンサ類は、ＧＰＳ（Ｇｌｏｂａｌ  Ｐｏｓｉｔｉｏｎｉｎｇ  Ｓｙｓｔｅｍ）受信機、運転操作検出センサ、車速センサ、又は６軸センサ等である。車両外に関する情報を検出するセンサ類は、外部カメラ、超音波センサ、ミリ波レーダ、又はレーザレーダ等である。ＧＰＳ受信機は、時間及び車両の位置を検出する。運転操作検出センサは、運転者によるアクセル、ブレーキ、又はハンドル等の操作情報を検出する。車速センサは、車両の速度を検出する。６軸センサは、移動方向、向き、及び回転等を検出する。外部カメラは、例えば、車両周辺に存在する、制限速度及び一方通行等の道路標識を撮像する。超音波センサ、ミリ波レーダ、又はレーザレーダは、車両周辺の障害物等を検出する。
【００１３】
入力装置２は、運転者による操作入力を受け付け、操作入力情報を運転監視装置１０へ出力する。入力装置２は、タッチパネル、ボタン、又は音声認識装置等である。
【００１４】
出力装置３は、運転監視装置１０から受け取った情報を、運転者に対して出力する。出力装置３は、ディスプレイ又はスピーカ等である。
【００１５】
運転監視装置１０は、情報取得部１１、飲酒レベル判定部１２、記録制御部１３、及び記録部１４を備える。また、運転監視装置１０は、通知部１５を備えてもよい。
【００１６】
情報取得部１１は、情報検出装置１により検出された、上述の運転者及び車両内外に関する情報を、情報検出装置１から取得する。情報取得部１１は、取得した情報を飲酒レベル判定部１２へ出力する。
【００１７】
飲酒レベル判定部１２は、情報取得部１１により取得された、少なくとも運転者の呼気アルコール濃度を示す情報を用いて、運転者の飲酒レベルを判定する。飲酒レベル判定部１２は、飲酒レベルの判定結果と、情報取得部１１により取得された各種の情報とを、記録制御部１３へ出力する。
【００１８】
なお、呼気アルコール濃度の数値と運転能力の低下度合いとの対応関係は個人差がある。そのため、飲酒レベル判定部１２は、運転者の呼気アルコール濃度に加え、運転者の生体情報又は車両内外に関する情報を用いて、飲酒レベルを判定してもよい。これにより、呼気アルコール濃度の個人差に起因した飲酒レベル判定の誤差を抑制することができる。
【００１９】
図２は、実施の形態１に係る運転監視装置１０における飲酒レベル、判定例、記録すべき情報の種類、及び判定間隔の例を示すテーブルである。図２の例では、運転者の飲酒レベルが、ゼロレベル、低レベル、中レベル、及び高レベルの４つのレベルに分けられている。飲酒レベル判定部１２は、呼気アルコール濃度が略０ｍｇ／ｌである場合、ゼロレベルと判定する。飲酒レベル判定部１２は、呼気アルコール濃度が略０ｍｇ／ｌより大きく、かつ、予め定められた基準値未満である場合、低レベルと判定する。飲酒レベル判定部１２は、呼気アルコール濃度が上記基準値以上である場合、中レベルと判定する。中レベルは、例えば酒気帯び運転に該当するレベルである。飲酒レベル判定部１２は、呼気アルコール濃度が上記基準値以上である場合、かつ、正常な運転ができていない場合、高レベルと判定する。高レベルは、例えば酒酔い運転に該当するレベルである。正常な運転ができていない場合とは、例えば、車速が制限速度を２０ｋｍ／ｈ以上超えている場合、前方車両との車間距離１０ｍ以内で走行している場合、車両が蛇行して走行している場合、頻繁に急ブレーキ操作がされている場合、又は交通ルールに違反している場合のうちの少なくとも１つである。交通ルールに違反している場合とは、信号無視、一時停止無視、又は一方通行道路進入等である。なお、飲酒レベル判定部１２は、情報取得部１１により取得された情報を用いて、正常な運転ができているか否かを判定すればよい。
【００２０】
記録制御部１３は、飲酒レベルの判定結果と各種の情報とを、飲酒レベル判定部１２から受け取り、記録部１４に記録する。記録制御部１３が情報取得部１１により取得された情報すべてを記録部１４に記録すると、記録すべき情報の量が膨大になり、記録部１４の記録容量を圧迫してしまう。そこで、記録制御部１３は、飲酒レベル判定部１２により判定された運転者の飲酒レベルに応じて、情報取得部１１により取得された情報の中から記録すべき情報を選択して記録部１４に記録する。
【００２１】
図２の例では、飲酒レベルがゼロレベルである場合、記録制御部１３は、記録部１４に情報を記録しない。飲酒レベルが低レベル、中レベル、及び高レベルである場合、記録制御部１３は、情報取得部１１により取得された各種の情報の中から、現在の時間、現在の車両の位置、及び運転者の個人特定情報を選択して記録部１４に記録する。個人特定情報は、内部カメラが撮像した運転者の画像、又は指紋センサが検出した運転者の指紋等である。飲酒レベルが中レベルである場合、記録制御部１３は、上記の時間、位置、及び個人特定情報に加えて、呼気アルコール濃度、生体情報、車速、及び車間距離を記録部１４に記録する。生体情報は、脈拍又は瞳孔等である。飲酒レベルが高レベルである場合、記録制御部１３は、上記の時間、位置、個人特定情報、呼気アルコール濃度、生体情報、車速、及び車間距離に加えて、走行軌跡、急ブレーキの有無、及び交通ルール違反の内容を記録部１４に記録する。なお、記録制御部１３は、記録すべき情報の量を抑制するために、飲酒レベルが中レベルである場合には、車速が制限速度を２０ｋｍ／ｈ以上超えているときのみ車速を記録部１４に記録し、車間距離が１０ｍ以内であるときのみ車間距離を記録部１４に記録する。一方、飲酒レベルが高レベルである場合、記録制御部１３は、車速及び車間距離を常時記録部１４に記録する。なお、記録制御部１３は、上記例では車間距離が１０ｍ以内であるときのみ車間距離を記録するが、記録するか否かの閾値は１０ｍに限定されず、車速に応じて閾値を変更してもよい。
【００２２】
また、図２の例において、飲酒レベル判定部１２は、飲酒レベルを判定する間隔を、前回判定した飲酒レベルに応じて変更する。例えば、飲酒レベル判定部１２は、飲酒レベルをゼロレベルと判定した場合、判定時点から「３００秒」が経過した後に再度飲酒レベル判定を行う。飲酒レベル判定部１２は、飲酒レベルを低レベルと判定した場合、判定時点から「１８０秒」が経過した後に再度飲酒レベル判定を行う。また、飲酒レベル判定部１２は、飲酒レベルを中レベル又は高レベルと判定した場合、判定時点から「６０秒」が経過した後に再度飲酒レベルの判定を行う。判定間隔を飲酒レベルに応じて変更することにより、結果として、飲酒レベルが高いほど記録部１４に情報が記録される間隔が短くなり、飲酒レベルが低いほど記録部１４に情報が記録される間隔が長くなる。よって、記録制御部１３は、飲酒運転に関する情報を証拠として記録部１４に記録しつつ、記録部１４に記録する情報量を抑制することができる。
【００２３】
また、記録制御部１３は、入力装置２から解除キー等のロック解除情報が入力された場合にのみ、記録部１４に記録済みの情報の読み出し又は消去を行う。例えば、警察又は交通管理機関等がロック解除情報を所有しており、警察等が、定期的に又は必要に応じて、記録部１４に記録済みの情報を読み出して飲酒運転の証拠として用いる。
【００２４】
また、記録制御部１３は、記録部１４の空き容量が無くなった場合、記録部１４に記録済みの情報のうち、飲酒レベルが低レベルである場合に記録された情報（以下、「低レベルの情報」と称する）に、新たな情報を上書きしてもよい。一方、記録制御部１３は、記録部１４に記録済みの情報のうち、飲酒レベルが高レベルである場合に記録された情報（以下、「高レベルの情報」と称する）及び飲酒レベルが中レベルである場合に記録された情報（以下、「中レベルの情報」と称する）に対しては、新たな情報を上書きせず、消去もしないことが好ましい。
【００２５】
なお、記録制御部１３は、記録部１４に記録済みの低レベル、中レベル、及び高レベルの情報を、記録時点から予め定められた時間が経過した後に消去してもよい。予め定められた時間とは、例えば、酒気帯び運転の時効又は酒酔い運転の時効である。
【００２６】
また、記録制御部１３は、飲酒レベル判定部１２により運転者の飲酒レベルが低レベル、中レベル、又は高レベルのうちのいずれかであると判定された場合、飲酒運転していることを運転者に警告するよう、又は判定された飲酒レベルを運転者に通知するよう、通知部１５に指示してもよい。
【００２７】
通知部１５は、記録制御部１３からの指示に従い、飲酒運転していることを運転者に警告する表示又は音声を、出力装置３に出力させる。また、通知部１５は、記録制御部１３からの指示に従い、飲酒レベル判定部１２により判定された飲酒レベルを運転者に通知する表示又は音声を、出力装置３に出力させてもよい。出力装置３が運転者に警告することにより、運転者の飲酒運転を抑止でき、交通事故を未然に防ぐことができる。
【００２８】
なお、運転監視装置１０は、記録部１４に記録済みの低レベル、中レベル及び高レベルの情報を、図示しないサーバ装置にアップロードすることによって、飲酒運転の証拠を上記サーバ装置に残すようにしてもよい。
また、運転監視装置１０は、記録部１４を備えず、図示しないサーバ装置が備える記録部１４に低レベル、中レベル及び高レベルの情報をアップロードして記録する構成であってもよい。
【００２９】
図３は、実施の形態１に係る運転監視装置１０の動作例を示すフローチャートである。
ステップＳＴ１において、情報取得部１１は、情報検出装置１から運転者及び車両内外に関する情報を取得する。
【００３０】
ステップＳＴ２において、飲酒レベル判定部１２は、ステップＳＴ１で情報取得部１１が取得した車速等の情報を用いて、車両が走行中であるか否かを判定する。飲酒レベル判定部１２は、車両が走行中である場合（ステップＳＴ２“ＹＥＳ”）、ステップＳＴ３へ進み、車両が停止中である場合（ステップＳＴ２“ＮＯ”）、ステップＳＴ１へ戻る。
【００３１】
ステップＳＴ３において、飲酒レベル判定部１２は、前回の判定時点から一定時間が経過したか否かを判定する。飲酒レベル判定部１２は、前回の判定時点から一定時間が経過した場合（ステップＳＴ３“ＹＥＳ”）、ステップＳＴ４へ進み、前回の判定時点から一定時間が経過していない場合（ステップＳＴ３“ＮＯ”）、ステップＳＴ１へ戻る。ここで、一定時間は、前回判定した飲酒レベルに応じて異なる時間であってもよいし、飲酒レベルによらず固定の時間であってもよい。例えば、図３のフローチャートに示される動作の初回時、一定時間は「０秒」とする。また、図２の例では、前回判定した飲酒レベルがゼロレベルである場合の一定時間は「３００秒」であり、低レベルである場合は「１８０秒」であり、中レベル及び高レベルである場合は「６０秒」である。
【００３２】
ステップＳＴ４において、飲酒レベル判定部１２は、ステップＳＴ１で情報取得部１１が取得した呼気アルコール濃度等の情報を用いて、運転者の飲酒レベルを判定する。
【００３３】
ステップＳＴ５において、記録制御部１３は、ステップＳＴ４で飲酒レベル判定部１２が判定した飲酒レベルがゼロレベルである場合（ステップＳＴ５“ＹＥＳ”）、飲酒運転ではないので情報の記録はせずにステップＳＴ１へ戻る。ステップＳＴ１へ戻った後のステップＳＴ３において、飲酒レベル判定部１２は、前回のステップＳＴ４の判定時点から３００秒が経過した後、再度飲酒レベルの判定を行うことになる。
一方、記録制御部１３は、飲酒レベルがゼロレベルでない場合（ステップＳＴ５“ＮＯ”）、ステップＳＴ６へ進む。
【００３４】
ステップＳＴ６において、記録制御部１３は、ステップＳＴ４で飲酒レベル判定部１２が判定した飲酒レベルが低レベルである場合（ステップＳＴ６“ＹＥＳ”）、ステップＳＴ７へ進む。今回の例では、飲酒レベルが低レベルである場合、呼気アルコール濃度が基準値未満であり飲酒運転違反にはならない。しかし、本来、少量でもアルコールを摂取していれば、車両を運転してはいけない。そのため、記録制御部１３は、ステップＳＴ７において、時間、位置、及び個人特定情報といった、万が一事故が発生した場合の参考になる最低限の情報のみを記録部１４に記録し、ステップＳＴ１へ戻る。情報を記録部１４に残すことは、運転者の飲酒運転の抑止につながる。ステップＳＴ１へ戻った後のステップＳＴ３において、飲酒レベル判定部１２は、前回のステップＳＴ４の判定時点から１８０秒が経過した後、再度飲酒レベルの判定を行うことになる。
一方、記録制御部１３は、飲酒レベルが低レベルでない場合（ステップＳＴ６“ＮＯ”）、ステップＳＴ８へ進む。
【００３５】
なお、記録制御部１３は、個人特定情報である運転者の顔の撮像画像等、容量の大きい情報については、前回と同一であれば、上書きすることで、又は新たに記録しないことで、記録部１４の記録容量の圧迫を防止してもよい。
【００３６】
ステップＳＴ８において、記録制御部１３は、ステップＳＴ４で飲酒レベル判定部１２が判定した飲酒レベルが中レベルである場合（ステップＳＴ８“ＹＥＳ”）、ステップＳＴ９へ進む。今回の例では、飲酒レベルが中レベルである場合、酒気帯び運転に該当する。そのため、記録制御部１３は、ステップＳＴ９において、時間、位置、及び個人特定情報に加え、呼気アルコール濃度、生体情報、車速（２０ｋｍ／ｈ超過時のみ）、及び車間距離（１０ｍ以内のみ）の情報を記録部１４に記録し、ステップＳＴ１へ戻る。ステップＳＴ１へ戻った後のステップＳＴ３において、飲酒レベル判定部１２は、前回のステップＳＴ４の判定時点から６０秒が経過した後、再度飲酒レベルの判定を行うことになる。
【００３７】
一方、記録制御部１３は、飲酒レベルが中レベルでない場合（ステップＳＴ８“ＮＯ”）、即ち飲酒レベルが高レベルである場合、ステップＳＴ１０へ進む。今回の例では、飲酒レベルが高レベルである場合、酒酔い運転に該当する。そのため、記録制御部１３は、ステップＳＴ１０において、時間、位置、個人特定情報、呼気アルコール濃度、生体情報、車速、車間距離、走行軌跡、急ブレーキ有無、及び交通ルール違反の内容を示す情報を記録部１４に記録し、ステップＳＴ１へ戻る。ステップＳＴ１へ戻った後のステップＳＴ３において、飲酒レベル判定部１２は、前回のステップＳＴ４の判定時点から６０秒が経過した後、再度飲酒レベルの判定を行うことになる。
【００３８】
なお、運転監視装置１０が通知部１５を備える構成である場合、通知部１５は、ステップＳＴ７，ＳＴ９，ＳＴ１０において飲酒運転の警告又は飲酒レベルの通知を出力装置３に出力させてもよい。
【００３９】
次に、実施の形態１に係る運転監視装置１０のハードウェア構成を説明する。
図４は、実施の形態１に係る運転監視装置１０のハードウェア構成例を示す図である。運転監視装置１０における記録部１４は、メモリ１０２である。運転監視装置１０における情報取得部１１、飲酒レベル判定部１２、記録制御部１３、及び通知部１５の機能は、処理回路により実現される。即ち、運転監視装置１０は、上記機能を実現するための処理回路を備える。処理回路は、メモリ１０２に格納されるプログラムを実行するプロセッサ１０１である。
【００４０】
情報取得部１１、飲酒レベル判定部１２、記録制御部１３、及び通知部１５の機能は、ソフトウェア、ファームウェア、又はソフトウェアとファームウェアとの組み合わせにより実現される。ソフトウェア又はファームウェアはプログラムとして記述され、メモリ１０２に格納される。プロセッサ１０１は、メモリ１０２に格納されたプログラムを読みだして実行することにより、各部の機能を実現する。即ち、運転監視装置１０は、プロセッサ１０１により実行されるときに、図３のフローチャートで示されるステップが結果的に実行されることになるプログラムを格納するためのメモリ１０２を備える。また、このプログラムは、情報取得部１１、飲酒レベル判定部１２、記録制御部１３、及び通知部１５の手順又は方法をコンピュータに実行させるものであるとも言える。
【００４１】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、又はマイクロプロセッサ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよい。
【００４２】
以上のように、実施の形態１に係る運転監視装置１０は、情報取得部１１、飲酒レベル判定部１２、記録制御部１３、及び記録部１４を備える。情報取得部１１は、運転者及び車両内外に関する情報を取得する。飲酒レベル判定部１２は、情報取得部１１により取得された少なくとも運転者の呼気アルコール濃度を示す情報を用いて、運転者の飲酒レベルを判定する。記録制御部１３は、飲酒レベル判定部１２により判定された運転者の飲酒レベルに応じて、情報取得部１１により取得された情報の中から記録すべき情報を選択して記録部１４に記録する。これにより、運転監視装置１０は、飲酒運転に関する情報を証拠として記録部１４に記録しつつ、記録部１４に記録する情報量を抑制することができる。また、運転監視装置１０は、飲酒運転に関する情報を証拠として記録部１４に記録するので、運転者の飲酒運転を抑止でき、交通事故を未然に防ぐことができる。
【００４３】
また、実施の形態１の飲酒レベル判定部１２は、運転者の飲酒レベルを、ゼロレベル、低レベル、中レベル、又は高レベルのうちのいずれかのレベルとして判定する。記録制御部１３は、運転者の飲酒レベルがゼロレベルである場合は情報を記録部１４に記録せず、低レベル、中レベル、及び高レベルである場合は情報を記録部１４に記録すると共に、低レベル、中レベル、及び高レベルの順に記録する情報の種類を増やす。これにより、運転監視装置１０は、飲酒運転違反の場合には証拠となる情報を保全でき、飲酒運転違反でない場合には記録する情報量を抑制して記録部１４の記録容量の圧迫を防止することができる。
【００４４】
また、実施の形態１の記録制御部１３は、記録部１４に記録済みの中レベル及び高レベルの情報に対して別の情報を上書きしない。これにより、運転監視装置１０は、飲酒運転違反の証拠となる情報を保全することができる。
【００４５】
また、実施の形態１の記録制御部１３は、記録部１４に記録済みの低レベル、中レベル、及び高レベルの情報を、記録時点から予め定められた時間が経過した後に消去する。これにより、運転監視装置１０は、飲酒運転違反の時効が成立した後に不要となった情報を消去でき、記録部１４の空き容量を確保することができる。
【００４６】
また、実施の形態１の記録制御部１３は、ロック解除情報が入力された場合にのみ、記録部１４に記録済みの情報の読み出し又は消去を行う。これにより、警察又は交通管理機関等のロック解除情報を保有している者のみが、飲酒運転違反の証拠となる情報を操作できる。
【００４７】
なお、実施の形態１の運転監視装置１０は、車両に搭載される車載機器として構成されたが、サーバ装置として構成されてもよい。
【００４８】
ここで、図５に、実施の形態１に係る運転監視装置１０の変更例を示す。図５の例では、車両２０に、情報検出装置１及び出力装置３が搭載されている。この車両２０と無線通信可能なサーバ装置３０は、情報取得部１１、飲酒レベル判定部１２、記録制御部１３、記録部１４、及び通知部１５を備える。このサーバ装置３０は、運転監視装置１０として機能する。
【００４９】
図５において、車両２０の情報検出装置１が検出した情報は、サーバ装置３０に送信され、サーバ装置３０の情報取得部１１が取得する。そして、サーバ装置３０において、車両２０の運転者の飲酒レベルが判定され、飲酒運転の証拠となる情報が記録される。また、車両２０の出力装置３は、サーバ装置３０の通知部１５からの指示を受信し、飲酒運転の警告等を車両２０の運転者に出力する。
【００５０】
本発明はその発明の範囲内において、実施の形態の任意の構成要素の変形、又は実施の形態の任意の構成要素の省略が可能である。
【符号の説明】
【００５１】
１  情報検出装置、２  入力装置、３  出力装置、１０  運転監視装置、１１  情報取得部、１２  飲酒レベル判定部、１３  記録制御部、１４  記録部、１５  通知部、２０  車両、３０  サーバ装置（運転監視装置）、１０１  プロセッサ、１０２  メモリ。
【図１】
2020004334.tif 000003
【図２】
2020004334.tif 000004
【図３】
2020004334.tif 000005
【図４】
2020004334.tif 000006
【図５】
2020004334.tif 000007